(57)【要約】【課題】  フィルム幅サイズが大きい写真フィルムでもカールを確実に抑えて写真フィルムの平面性を良好にすることができるフィルムキャリアを得る。【解決手段】  フィルムキャリア１０の画像読取部１４に形成された窓部１６に、画像読取部１４に搬送された写真フィルムＦの裏面が接触して光照射方向に沿った基準位置に写真フィルムＦをセットするためのベース板１８を配置し、ベース板１８の上面における画像コマと対応する部位に、フィルム搬送方向に沿って凹部２０を設ける。写真フィルムＦに生じているフィルム幅方向に曲率を持つ樋状のカールは、フィルム搬送方向の両縁部ＦＡがマスク２４Ａ、２４Ｂによって押圧されることにより大幅に縮小され、これに伴い、写真フィルムＦとベース板１８の間に形成される空間の空気が凹部２０を通して外部へ抜け出す。【選択図】    図４
2006162751.tif 000002
【特許請求の範囲】
【請求項１】
写真フィルムに記録された画像コマに光を照射して画像を読み取るために、写真フィルムを搬送路に沿って画像読取位置に搬送するフィルムキャリアであって、
前記画像読取位置に設けられ、画像読取位置に搬送された写真フィルムの裏面が接触して光照射方向に沿った基準位置に写真フィルムをセットするための基準板と、
写真フィルムの搬送方向における前記画像読取位置の上流側及び下流側、及び、写真フィルムの幅方向における前記画像読取位置の両側にそれぞれ配置されるとともに前記基準板に対して接近及び離間可能に設けられ、画像読取位置に搬送された写真フィルムの表面における搬送方向の両縁部及び幅方向の両縁部を押圧及び押圧解除する４つの押圧部材と、
前記４つの押圧部材を前記基準板に対して接近及び離間させる移動手段と、
前記基準板に設けられ、前記４つの押圧部材による写真フィルムの押圧時に写真フィルムと基準板の間に形成される空間から空気を抜くための開口部と、
を有することを特徴とするフィルムキャリア。
【請求項２】
写真フィルムに記録された画像コマに光を照射して画像を読み取るために、写真フィルムを搬送路に沿って画像読取位置に搬送するフィルムキャリアであって、
前記画像読取位置に設けられ、画像読取位置に搬送された写真フィルムの裏面が接触して光照射方向に沿った基準位置に写真フィルムをセットするための基準板と、
写真フィルムの搬送方向における前記画像読取位置の上流側及び下流側に配置されるとともに前記基準板に対して接近及び離間可能に設けられ、画像読取位置に搬送された写真フィルムの表面における搬送方向の両縁部を押圧及び押圧解除する一対の押圧部材と、
前記一対の押圧部材を前記基準板に対して接近及び離間させる移動手段と、
写真フィルムの幅方向における前記画像読取位置の両側に配置され、写真フィルムの表面における幅方向の両縁部に圧接して写真フィルムを画像読取位置に搬送する一対の搬送手段と、
前記基準板に設けられ、前記一対の押圧部材による写真フィルムの押圧時に写真フィルムと基準板の間に形成される空間から空気を抜くための開口部と、
を有することを特徴とするフィルムキャリア。
【請求項３】
前記搬送手段は、前記搬送方向に沿って回転移動可能に設けられた無端状のベルト部材を有することを特徴とする請求項請求項２記載のフィルムキャリア。
【請求項４】
前記開口部は、前記基準板の画像コマと対応する部位に前記搬送方向に沿って設けられた凹部であることを特徴とする請求項１〜請求項３の何れか１項記載のフィルムキャリア。
【発明の詳細な説明】
【技術分野】
【０００１】
本発明は、写真フィルムに記録された画像コマに光を照射して画像を読み取るために、写真フィルムを搬送路に沿って画像読取位置に搬送するフィルムキャリアに関する。
【背景技術】
【０００２】
写真フィルム用のスキャナ装置（デジタルスキャナ装置）には、装置の本体部にフィルムキャリアが着脱可能に装着され、このフィルムキャリアに設けられた搬送路に沿って写真フィルムを所定の画像読取位置へ搬送し、この画像読取位置で写真フィルムに記録された画像コマをＣＣＤエリアセンサによって読み取るものがある。このようなスキャナ装置では、例えば、光源部から出射され写真フィルムを透過した光（フィルム透過光）をレンズユニットによりＣＣＤエリアセンサの受光面上に結像し、ＣＣＤエリアセンサにより画像を担持したフィルム透過光を電気的な画像信号に変換しており、そのため、写真フィルムに対する画像読取時に、画像読取位置に搬送されてきた写真フィルムを光照射方向（光軸方向）に沿ってレンズユニットに対して精度良く一定の位置に保つ必要がある。
【０００３】
そこで、画像読取位置に配置したベース板（基板）に対して、写真フィルム（フィルムストリップ）の画像コマを平面化するにあたり、フィルム長手方向における画像コマの両縁に沿って垂直方向及び幅方向にクランプ力を作用させ、フィルム幅方向における画像コマの両縁に沿って垂直方向にクランプ力を作用させることより、画像コマを平面化するクランプ手段が提案されている（例えば、特許文献１参照）。
【特許文献１】特開平７−１９９３６６号公報
【発明の開示】
【発明が解決しようとする課題】
【０００４】
写真フィルムは、湿度や放置環境に応じてカールを生じるが、特許文献１に記載されるような、写真フィルムに対し垂直方向だけでなく幅方向にもクランプ力を作用させてコマ画像を平面化するクランプ手段は、写真フィルムの有するカールの影響を排除し画面読取の精度低下を抑える上で有用である。
【０００５】
しかし、ブローニーフィルムをマスクで圧着し画像を読み取る装置では、フィルム幅サイズが大きいために画像部分を平面に保つことが難しく、特に乾燥した環境ではフィルムが大きくカールするので画像の焦点が甘くなることがある。また、ブローニーフィルムのようにフィルム全幅に対して画像領域外の占める割合が極端に小さいフィルムでは、画面開口を確保するために開口面積を大きくするとフィルムが開口部に落下するおそれがあり、このため、図６に示されるように、ガラス板等の透明部材１００を用いて開口部１０２を塞ぐ必要がある。しかしその場合は、カールを生じている写真フィルムＦをマスク１０４で圧着するときに写真フィルムＦと透明部材１００の間の空気が抜け難くなり、フィルムの平面性を確保できなくなる問題がある。
【０００６】
本発明は上記事実を考慮して、ブローニーフィルムのようにフィルム幅サイズが大きい写真フィルムでもカールを確実に抑えて写真フィルムの平面性を良好にすることができるフィルムキャリアを提供することを課題とする。
【課題を解決するための手段】
【０００７】
上記目的を達成するために請求項１に記載の発明は、写真フィルムに記録された画像コマに光を照射して画像を読み取るために、写真フィルムを搬送路に沿って画像読取位置に搬送するフィルムキャリアであって、前記画像読取位置に設けられ、画像読取位置に搬送された写真フィルムの裏面が接触して光照射方向に沿った基準位置に写真フィルムをセットするための基準板と、写真フィルムの搬送方向における前記画像読取位置の上流側及び下流側、及び、写真フィルムの幅方向における前記画像読取位置の両側にそれぞれ配置されるとともに前記基準板に対して接近及び離間可能に設けられ、画像読取位置に搬送された写真フィルムの表面における搬送方向の両縁部及び幅方向の両縁部を押圧及び押圧解除する４つの押圧部材と、前記４つの押圧部材を前記基準板に対して接近及び離間させる移動手段と、前記基準板に設けられ、前記４つの押圧部材による写真フィルムの押圧時に写真フィルムと基準板の間に形成される空間から空気を抜くための開口部と、を有することを特徴としている。
【０００８】
請求項１に記載の発明では、フィルムキャリアの搬送路に沿って画像読取位置に搬送された写真フィルムは、移動手段によって基準板に接近する方向へ移動される４つの押圧部材によりフィルム表面における搬送方向の両縁部及び幅方向の両縁部が押圧され、例えば、４つの押圧部材のうちの幅方向の両縁部を押圧する２つの押圧部材と基準板との間に挟持されて光照射方向に沿った基準位置にセットされる。その状態で、記録された画像コマに光が照射されて画像が読み取られる。
【０００９】
ここで、写真フィルムに生じているカールは、フィルムの４つの縁部が４つの押圧部材によって押圧されることにより縮小され、このとき、写真フィルムと基準板の間に形成される空間の空気は、基準板に設けられた開口部を通して外部へ抜け出す。したがって、ブローニーフィルムのようにフィルム幅サイズが大きい写真フィルムでもカールを確実に抑えて写真フィルムの平面性を良好にすることができる。
【００１０】
請求項２に記載の発明は、写真フィルムに記録された画像コマに光を照射して画像を読み取るために、写真フィルムを搬送路に沿って画像読取位置に搬送するフィルムキャリアであって、前記画像読取位置に設けられ、画像読取位置に搬送された写真フィルムの裏面が接触して光照射方向に沿った基準位置に写真フィルムをセットするための基準板と、写真フィルムの搬送方向における前記画像読取位置の上流側及び下流側に配置されるとともに前記基準板に対して接近及び離間可能に設けられ、画像読取位置に搬送された写真フィルムの表面における搬送方向の両縁部を押圧及び押圧解除する一対の押圧部材と、前記一対の押圧部材を前記基準板に対して接近及び離間させる移動手段と、写真フィルムの幅方向における前記画像読取位置の両側に配置され、写真フィルムの表面における幅方向の両縁部に圧接して写真フィルムを画像読取位置に搬送する一対の搬送手段と、前記基準板に設けられ、前記一対の押圧部材による写真フィルムの押圧時に写真フィルムと基準板の間に形成される空間から空気を抜くための開口部と、を有することを特徴としている。
【００１１】
請求項２に記載の発明では、一対の搬送手段が写真フィルムの表面における幅方向の両縁部に圧接し、写真フィルムを画像読取位置に搬送する。そして、画像読取位置に搬送された写真フィルムは、移動手段によって基準板に接近する方向へ移動される一対の押圧部材によりフィルム表面における搬送方向の両縁部が押圧され、上記の一対の搬送手段と基準板との間に挟持された状態で光照射方向に沿った基準位置にセットされる。
【００１２】
ここで、写真フィルムに生じている樋状のカールは、フィルム表面における搬送方向の両縁部が一対の押圧部材によって押圧されることにより縮小され、このとき、写真フィルムと基準板の間に形成される空間の空気は、基準板に設けられた開口部を通して外部へ抜け出す。したがって、ブローニーフィルムのようにフィルム幅サイズが大きい写真フィルムでもカールを確実に抑えて写真フィルムの平面性を良好にすることができる。
【００１３】
請求項３に記載の発明は、請求項２記載のフィルムキャリアにおいて、前記搬送手段は、前記搬送方向に沿って回転移動可能に設けられた無端状のベルト部材を有することを特徴としている。
【００１４】
請求項３に記載の発明では、搬送路に沿って画像読取位置に搬送される写真フィルは、搬送手段が有する搬送方向に沿って回転移動可能に設けられた無端状のベルト部材によって搬送されるため、１コマ又は複数コマ毎にカットされた短尺の写真フィルムでも自動で搬送することができる。
【００１５】
請求項４に記載の発明は、請求項１〜請求項３の何れか１項記載のフィルムキャリアにおいて、前記開口部は、前記基準板の画像コマと対応する部位に前記搬送方向に沿って設けられた凹部であることを特徴としている。
【００１６】
請求項４に記載の発明では、画像読取位置に搬送された写真フィルムは、基準板に設けられた凹部に画像コマが対応して配置され、その状態で、４つの押圧部材又は一対の押圧部材により各縁部が押圧されると、写真フィルムと基準板の間に形成される空間の空気は、押圧でカールが縮小されるのに伴い凹部を通して外部へ抜け出す。これにより、写真フィルムの平面性を良好に保つことができる。
【００１７】
また、画像の読み取りでは、画像コマに向けて出射された光が基準板の凹部を透過し、画像コマの全域にムラなく均一な光量で照射されるため、この凹部によって画像読取が妨げられることはない。また、このような凹部であれば、深さを大きくすることで簡単に開口面積を拡大できるため、例えば、基準板における画像コマ以外の領域（縁部と対応する部位等）にスリット状の開口部を形成するような構成に比べて、より大きな開口面積の開口部を容易に形成することができる。これにより、写真フィルムと基準板の間から開口部（凹部）を通して排出される空気の排出性を良好にすることができる。
【発明の効果】
【００１８】
本発明のフィルムキャリアは上記構成としたので、ブローニーフィルムのようにフィルム幅サイズが大きい写真フィルムでもカールを確実に抑えて写真フィルムの平面性を良好にすることができる。
【発明を実施するための最良の形態】
【００１９】
以下、図面を参照して本発明の実施形態に係るフィルムキャリアについて説明する。
【００２０】
図１〜図３には、本実施形態のフィルムキャリア１０が示されている。フィルムキャリア１０は、ブローニーフィルム用のフィルムキャリアでスキャナ装置に着脱可能とされており、このフィルムキャリア１０には、図１及び図２に示されるように、スキャナ装置に装着されるベース台１２が設けられている。ベース台１２の略中央部には、写真フィルム（ブローニーフィルム）Ｆに記録された画像コマＰにスキャナ装置の光源部から出射された光を照射し、写真フィルムＦを透過した光（フィルム透過光）をスキャナ装置のレンズユニットによりＣＣＤエリアセンサ等の撮像素子の受光面上に結像することにより、フィルム透過光を撮像素子によって電気的な画像信号に変換して画像を読み取るための画像読取部１４が設けられている。また、ベース台１２の上面部には、写真フィルムＦを画像読取部１４に搬送するためのフィルム搬送路Ｒが装置の幅方向（矢印Ｗ方向）に沿って延在するように形成されており、このフィルム搬送路は図中の矢印Ｒで模式的に示されている。
【００２１】
図２に示されるように、画像読取部１４には装置幅方向を長手とする矩形状の窓部１６が形成されており、窓部１６には、画像読取部１４に搬送された写真フィルムＦの裏面が接触して光照射方向（図４（Ｂ）の光軸Ｌ参照）に沿った基準位置に写真フィルムＦをセットするためのベース板１８が嵌め込まれている。
【００２２】
ベース板１８は、透明ガラス板で形成されており、図３に示されるように、ベース板１８の上面には、写真フィルムＦの画像コマＰと対応する部位に、フィルム搬送方向（矢印Ａ方向）に沿って凹部２０が延設され、フィルム搬送方向と直交する方向（フィルム幅方向）における両側縁部に、凹部２０を形成する一対の凸部２２Ａ、２２Ｂが延設されている。上記の光照射方向に沿った基準位置は、この一対の凸部２２Ａ、２２Ｂの各上面によって構成されている（画像読取基準面Ｓ）。また、凹部２０のフィルム搬送方向と直交する方向での溝幅寸法Ｌ１は、画像コマＰの幅寸法Ｌ２よりも少し大きくされている。
【００２３】
フィルム搬送路Ｒにおける画像読取部１４の上流側及び下流側には、フィルム搬送方向と直交する方向に沿って延出された一対のマスク２４Ａ、２４Ｂが設けられている。この一対のマスク２４Ａ、２４Ｂは、フィルム搬送方向と直交する方向での長さ寸法が、ベース板１８の凹部２０の溝幅寸法Ｌ１よりも少し小さくされており（図３参照）、ベース台１２に図示しない支持機構によって昇降可能、及びフィルム搬送方向に沿って移動可能とされ（矢印Ｗ方向）互いに接近及び離間するように支持されたマスク保持部材２６Ａ、２６Ｂに取り付けられて保持されている。
【００２４】
これにより、マスク２４Ａ、２４Ｂは、マスク保持部材２６Ａ、２６Ｂの昇降に伴いベース板１８に対して接近及び離間する（図３の矢印Ｚ方向）。また、マスク２４Ａ、２４Ｂは、マスク保持部材２６Ａ、２６Ｂが上昇しているときには、ベース板１８から所定距離だけ離れて配置され、マスク保持部材２６Ａ、２６Ｂが所定位置まで下降すると、画像読取基準面Ｓと略一致する所定の位置で停止されるよう構成されている。
【００２５】
また、マスク保持部材２６Ａ、２６Ｂの一端部には、フィルム搬送方向に沿って延出されたラック３０が連結されており、ラック３０のラックギア３２には、ステッピングモータからなるマスク移動モータ３４の駆動ギア３６が噛み合っている。これにより、マスク移動モータ３４が駆動ギア３６を回転駆動させると、ラック３０がフィルム搬送方向に沿って移動し、このラック３０の移動に伴いマスク保持部材２６Ａ、２６Ｂはフィルム搬送方向に沿って移動しつつ互いに接近及び離間し、マスク２４Ａ、２４Ｂによるマスク位置を変更する。このマスク２４Ａ、２４Ｂの変位により、写真フィルムＦの搬送方向における画像コマサイズの変更に対応することができる。
【００２６】
フィルム搬送方向と直交する方向における画像読取部１４の両側には、一対の圧着ユニット４０Ａ、４０Ｂが設けられている。この一対の圧着ユニット４０Ａ、４０Ｂは、フィルム搬送方向に沿って延出された圧着ベース４２を備えており、圧着ベース４２は、ベース台１２に図示しない支持機構によって昇降可能に支持され、マスク保持部材２６Ａ、２６Ｂの昇降に伴いベース板１８に対して接近及び離間する（図３の矢印Ｚ方向）。
【００２７】
圧着ベース４２の内側面には、図２に示されるように、フィルム搬送方向に沿って配列された駆動プーリ４４、４個のアイドラプーリ４６、及び従動プーリ４８がそれぞれ回転可能に設けられている。これらの駆動プーリ４４、アイドラプーリ４６、及び従動プーリ４８には無端状のベルト５０が巻き掛けられており、各ベルト５０はフィルム搬送方向に沿って延設され、図３に示されるように、ベース板１８の上面に設けられた凸部２２Ａ、２２Ｂに対向して配置されている。また、各ベルト５０は、マスク保持部材２６Ａ、２６Ｂが上昇しているときには、凸部２２Ａ、２２Ｂから所定距離だけ離れて配置され、マスク保持部材２６Ａ、２６Ｂが所定位置まで下降すると、上述したマスク２４Ａ、２４Ｂの所定位置での停止後に、凸部２２Ａ、２２Ｂに圧着する。
【００２８】
図２に示されるように、圧着ユニット４０Ａ、４０Ｂの各駆動プーリ４４には、回転駆動軸５２Ａ、５２Ｂが連結されている。圧着ユニット４０Ａ、４０Ｂの各ベルト５０は、図示しないベルト駆動モータによって回転駆動軸５２Ａ、５２Ｂが同期して回転駆動されることにより、各駆動プーリ４４によって回転駆動され所定の方向へ同期して回転移動する。
【００２９】
図１に示されるように、フィルム搬送方向と直交する方向における圧着ユニット４０Ａ、４０Ｂの各外側には、一対の偏芯カム５４Ａ、５４Ｂが配置されている。この一対の偏芯カム５４Ａ、５４Ｂは、両端部が一対の軸受け部５６Ａ、５６Ｂに回転可能に支持されており、図３に示されるように、カム部５８Ａ、５８Ｂが、マスク保持部材２６Ａ、２６Ｂ上面の両側部に形成された押圧面部６０に当接している。
【００３０】
偏芯カム５４Ａ、５４Ｂの一端部先端には、タイミングプーリ６２Ａ、６２Ｂが取り付けられている。これらのタイミングプーリ６２Ａ、６２Ｂと、ステッピングモータからなる圧着モータ６６の駆動プーリ６７との間には、１本の無端状のタイミングベルト６４が巻き掛けられている。これにより、圧着モータ６６が作動して駆動プーリ６７を回転駆動させると、その回転駆動力がタイミングベルト６４を介してタイミングプーリ６２Ａ、６２Ｂに伝達され、偏芯カム５４Ａ、５４Ｂは同期して回転し、カム部５８Ａ、５８Ｂのカム面を上下に移動させる。そして、マスク保持部材２６Ａ、２６Ｂは、押圧面部６０が偏芯カム５４Ａ、５４Ｂのカム部５８Ａ、５８Ｂに押圧されると、下降してベース板１８に接近し、また、カム部５８Ａ、５８Ｂによる押圧が解除されると、支持機構に設けられた図示しないばね部材のばね力によって上昇しベース板１８から離間する。
【００３１】
次に、上記の構成とされた本実施形態のフィルムキャリア１０による写真フィルムＦに記録された画像コマＰから画像を読み取る画像読取動作及びその作用について説明する。
【００３２】
本実施形態のフィルムキャリア１０では、マスク２４Ａ、２４Ｂは、ベース板１８から離間され写真フィルムＦの押圧を解除した状態で、マスク移動モータ３４の駆動によるマスク保持部材２６Ａ、２６Ｂの相対移動により、画像コマＰのサイズに応じてフィルム搬送方向に沿って互いに接近及び離間するよう移動され、所定のマスク位置に配置される。このマスク２４Ａ、２４Ｂの変位により、写真フィルムＦを傷付けることなく搬送方向における画像コマサイズの変更に対応することができる。
【００３３】
また、圧着ユニット４０Ａ、４０Ｂの各ベルト５０の回転移動により、写真フィルムＦがベース台１２の上面部に設けられたフィルム搬送路Ｒに沿って搬送され、図４（Ａ）に示されるように画像読取部１４に停止されると、圧着モータ６６が駆動してマスク保持部材２６Ａ、２６Ｂは下降する。
【００３４】
このマスク保持部材２６Ａ、２６Ｂの下降に伴い、ベース板１８に接近する方向へ移動される一対のマスク２４Ａ、２４Ｂによってフィルム表面における搬送方向の両縁部ＦＡが押圧される（図１参照）。さらに、このマスク２４Ａ、２４Ｂによる押圧後に、マスク保持部材２６Ａ、２６Ｂの下降に伴い、ベース板１８に接近する方向へ移動される一対の圧着ユニット４０Ａ、４０Ｂの各ベルト５０がフィルム表面における幅方向の両縁部ＦＢに圧着し、図４（Ｂ）に示されるように、写真フィルムＦは両縁部ＦＢが各ベルト５０とベース板１８の凸部２２Ａ、２２Ｂとの間に挟持されて画像読取部１４にセットされる。
【００３５】
その状態で、写真フィルムＦに記録された画像コマＰに、スキャナ装置の光源部から出射された光（図４（Ｂ）の矢印ＬＴ）がベース板１８を透過して照射され、この画像コマＰを透過した光（透過光）が、スキャナ装置のレンズユニットにより撮像素子の受光面上に結像される。これにより、フィルム透過光が撮像素子によって電気的な画像信号に変換され、画像として読み取られる。
【００３６】
ブローニーフィルム（２Ｂ）のようにフィルム端の非画像部が２ｍｍ程度で狭い写真フィルムＦでは、フィルムキャリア１０の画像読取部１４に設ける窓部１６の開口面積が大きくなり、写真フィルムＦを窓部１６まで搬送する際に、フィルム先端部が窓部１６に落ち込んで搬送不良を発生することがある。
【００３７】
そこで、本実施形態のように、窓部１６にガラス板からなるベース板１８を配置することにより、フィルム先端部の落ち込みを防止することができる。ただし、写真フィルムＦの圧着時に画像コマ周囲の４辺を押さえ込んでしまうと画像コマＰとベース板１８との間に空気が密閉されてしまう。特に低湿度環境では、圧着後もフィルムのカールが数ｍｍにもなり画像コマ全面に焦点が合わなくなる。
【００３８】
これに対し、本実施形態のフィルムキャリア１０では、写真フィルムＦに生じているフィルム幅方向に曲率を持つ樋状のカールは、フィルム幅方向の両縁部ＦＢが圧着ユニット４０Ａ、４０Ｂの各ベルト５０とベース板１８の凸部２２Ａ、２２Ｂとの間に挟持される前に、フィルム搬送方向の両縁部ＦＡがマスク２４Ａ、２４Ｂによって押圧されることにより大幅に縮小される。このとき、写真フィルムＦとベース板１８の間に形成される空間の空気は、ベース板１８の上面に設けられた凹部２０を通して外部へ抜け出す。したがって、本実施形態のように、フィルム幅サイズが大きいブローニーフィルムの写真フィルムＦであってもカールを確実に抑えて写真フィルムＦの平面性を良好にすることができ、画像コマ全面に焦点が合わせられるようになる。
【００３９】
また、本実施形態では、フィルム搬送路Ｒに沿って画像読取部１４に搬送される写真フィルムＦは、圧着ユニット４０Ａ、４０Ｂに搬送方向に沿って回転移動可能に設けられた各ベルト５０によって搬送されるため、１コマ又は複数コマ毎にカットされた短尺の写真フィルムでも自動で搬送することができる。
【００４０】
また、本実施形態では、画像の読み取りで、写真フィルムＦの画像コマＰに向けて出射された光ＬＴがベース板１８の凹部２０を透過し、画像コマＰの全域にムラなく均一な光量で照射されるため、この凹部２０によって画像読取が妨げられることはない。また、このような凹部２０であれば、深さを大きくすることで簡単に開口面積を拡大できるため、例えば、ベース板１８における画像コマＰ以外の領域（写真フィルムＦにおける幅方向の両縁部ＦＢと対応する部位等）にスリット状の開口部を形成するような構成に比べて、より大きな開口面積の開口部を容易に形成することができる。これにより、写真フィルムＦとベース板１８の間から凹部２０を通して排出される空気の排出性を良好にすることができる。
【００４１】
なお、ブローニーフィルムの場合、ベース板１８に設ける凹部２０の段差（深さ）は０．２ｍｍ以上あればよく（図４（Ａ）の寸法ｄ）、フィルム幅６０ｍｍに対し、画像コマの幅寸法が約５６ｍｍなので、片側の開口で約１０ｍｍ2の開口面積、両側の開口を合わせて約２０ｍｍ2の開口面積があれば空気が抜けることになる。また、コマ画像間側を押圧するマスク２４Ａ、２４Ｂは、上記開口面積を維持して空気を抜くために、上述したように、凹部２０の底面まで押し切らずに上記の段差を残した位置（焦点面／画像読取基準面Ｓ）で停止させるようにする。
【００４２】
図５には、上記のフィルムキャリア１０の画像読取部１４に配置するベース板の２つの変形例が示されている。
【００４３】
図５（Ａ）に示される変形例では、窓部１６のフィルム幅方向における両内壁面に、内方へ向けて突出された一対のベース板取付部７０Ａ、７０Ｂが設けられている。この一対のベース板取付部７０Ａ、７０Ｂはフィルム搬送方向に沿って延出されており、前述した画像読取基準面Ｓはベース板取付部７０Ａ、７０Ｂの各上面により構成されている。
【００４４】
一方、ベース板７２は、上面７２Ａのフィルム幅方向における両縁部に、上面７２Ａよりも低位となる一対の段差部７４Ａ、７４Ｂが形成されており、この一対の段差部７４Ａ、７４Ｂが一対のベース板取付部７０Ａ、７０Ｂの下面に嵌め合わせられて窓部１６に取り付けられている。また、窓部１６に取り付けられたベース板７２の上面７２Ａは、画像読取基準面Ｓよりも低くされており、これら一対のベース板取付部７０Ａ、７０Ｂ及びベース板７２の上面７２Ａによって、ベース板７２も上面部分に凹部７６が形成されている。また、この変形例の場合、画像読取基準面Ｓに写真フィルムＦをセットするための基準板は、上記のベース板７２と一対のベース板取付部７０Ａ、７０Ｂによって構成されている。
【００４５】
したがって、この図５（Ａ）に示される変形例の場合も、画像読取部１４に搬送された写真フィルムＦをマスク２４Ａ、２４Ｂ及び圧着ユニット４０Ａ、４０Ｂの各ベルト５０により押圧してカールを縮小する際に、写真フィルムＦとベース板７２の間に形成される空間の空気が、ベース板７２の上面部分に設けられた凹部７６を通して外部へ抜け出すようになり、写真フィルムＦの平面性を良好にすることができる。
【００４６】
また、図５（Ｂ）に示される他の変形例は、上記変形例の構成において、ベース板７２の段差部７４Ａ、７４Ｂの基端部で、写真フィルムＦの画像コマに掛からない位置に、フィルム搬送方向に沿って幅狭のスリット７８を形成したものである。
【００４７】
この構成の場合、画像読取部１４に搬送された写真フィルムＦを押圧してカールを縮小する際に、写真フィルムＦとベース板７２の間に形成される空間の空気が、ベース板７２の上面部分に設けられた凹部７６に加えて、スリット７８を通して外部へ抜け出すようになり、やはり写真フィルムＦの平面性を良好にすることができる。
【００４８】
また、このようなスリット７８等の貫通孔からなる開口部を形成したベース板であれば、上面部分に凹部を設けず、上面を画像読取基準面Ｓと同一面に配置することも可能である。
【００４９】
以上、本発明を上述した特定の実施形態により詳細に説明したが、本発明はその実施形態に限定されるものではなく、本発明の範囲内にて他の種々の形態が実施可能である。
【００５０】
例えば、上述した実施形態では、写真フィルムＦをマスク２４Ａ、２４Ｂで押圧した後に圧着ユニット４０Ａ、４０Ｂの各ベルト５０を圧着させるよう構成しているが、これらのマスク２４Ａ、２４Ｂによる押圧及び圧着ユニット４０Ａ、４０Ｂの各ベルト５０による圧着は、同時に行うようにしてもよい。
【００５１】
また、圧着ユニット４０Ａ、４０Ｂは上下に移動せず、例えば、各ベルト５０がベース板１８の凸部２２Ａ、２２Ｂとの間に、写真フィルムＦの厚さと同等又はそれよりも小さい所定の隙間を設けて配置され、その各ベルト５０を写真フィルムの幅方向の両縁部ＦＢに圧接させて回転駆動させることにより、写真フィルムＦを画像読取部１４に搬送するような構成としてもよい。
【００５２】
その場合、画像読取部１４に搬送された写真フィルムＦは、フィルム幅方向の両縁部ＦＢが圧着ユニット４０Ａ、４０Ｂの各ベルト５０とベース板１８の凸部２２Ａ、２２Ｂとの間に挟持された状態のまま、搬送方向の両縁部ＦＡが一対のマスク２４Ａ、２４Ｂにより押圧されることになる。このような動作でも、写真フィルムＦに生じている樋状のカールがマスク２４Ａ、２４Ｂによって潰されるのに伴い、写真フィルムＦとベース板１８の間に形成される空間の空気は凹部２０を通して外部へ抜け出すようになるため、カールを確実に抑えて写真フィルムＦの平面性を良好にすることができる。
【図面の簡単な説明】
【００５３】
【図１】本発明の一実施形態に係るフィルムキャリアの外観を示す斜視図である。
【図２】図１のフィルムキャリアにおいてマスク、マスク保持部材、及びその駆動機構を取り除いた状態の外観を示す斜視図である。
【図３】本発明の一実施形態に係るフィルムキャリアの要部をフィルム搬送路の上流側から見た外観を示す斜視図である。
【図４】本発明の一実施形態に係るフィルムキャリアによる写真プリントのカールを抑える動作を説明する説明図で、（Ａ）は樋状のカールを生じている写真フィルムが画像読取部に搬送された直後の状態であり、（Ｂ）は写真フィルムのカールが抑えられている状態である。
【図５】（Ａ）、（Ｂ）は本発明の変形例に係るベース板の構造を示す画像読取部でのフィルム幅方向に沿った縦断面図である。
【図６】従来のフィルムキャリアによる写真プリントのカールを抑える動作を説明する説明図である。
【符号の説明】
【００５４】
１０   フィルムキャリア
１４   画像読取部（画像読取位置）
１８   ベース板（基準板）
２０   凹部（開口部／凹部）
２４Ａ マスク（押圧部材）
２４Ｂ マスク（押圧部材）
２６Ａ マスク保持部材（移動手段）
２６Ｂ マスク保持部材（移動手段）
４０Ａ 圧着ユニット（押圧部材／搬送手段）
４０Ｂ 圧着ユニット（押圧部材／搬送手段）
５０   ベルト（搬送手段／ベルト）
５４Ａ 偏芯カム（移動手段）
５４Ｂ 偏芯カム（移動手段）
６２Ａ タイミングプーリ（移動手段）
６２Ｂ タイミングプーリ（移動手段）
６４   タイミングベルト（移動手段）
６６   圧着モータ（移動手段）
７０Ａ、７０Ｂ              ベース板取付部（基準板）
７２   ベース板（基準板）
７６   凹部（開口部／凹部）
７８   スリット（開口部）
Ｆ     写真フィルム
ＦＡ   両縁部
ＦＢ   両縁部
Ｌ     光軸
Ｐ     画像コマ
Ｒ     フィルム搬送路
Ｓ     画像読取基準面
【図１】
2006162751.tif 000003
【図２】
2006162751.tif 000004
【図３】
2006162751.tif 000005
【図４】
2006162751.tif 000006
【図５】
2006162751.tif 000007
【図６】
2006162751.tif 000008